(57)【特許請求の範囲】
【請求項１】
ディスプレイを出入アームにより収納ボックスから出入させる収納型ディスプレイにおいて、前記出入アームに第１の回動軸回りに回動自在に支持されて前記ディスプレイを前記第１の軸と平行の第２の軸回りに回動自在に支持する回動アームを前記ディスプレイと出入アームとの間に介在させ、前記出入アームを前記第１の回動軸回りに回動させ、さらに前記ディスプレイを前記第２の軸回りに回動させることにより前記ディスプレイを前記出入アームと同一方向に延びる位置とし前記収納ボックス内に収納可能とした収納型ディスプレイの引出構造。
【発明の詳細な説明】
【０００１】
【発明の属する技術分野】
この発明は収納ボックスに収納される収納型ディスプレイに係わり、特に、収納型ディスプレイの引出構造に関する。
【０００２】
【従来の技術】
従来、収納ボックスに収納可能な収納型ディスプレイが知られている。この収納型ディスプレイの従来の例を図４〜図６により説明する。図に示す液晶ディスプレイユニット１は液晶ディスプレイ駆動回路ユニット３から延びる出入アーム２に軸２ａを介して回動自在に支持されている。
【０００３】
図４に示すように液晶ディスプレイユニット１は液晶ディスプレイ駆動回路ユニット３と共に収納ボックス４内に収納された状態となり、また、図６に示すように収納ボックス４から引き出され屹立した状態となる。
【０００４】
すなわち、液晶ディスプレイユニット１は液晶ディスプレイ駆動回路ユニット３と共に収納ボックス４内を移動し、液晶ディスプレイユニット１が突出した状態で軸２ａ回りに回動されて屹立した状態とされる。
【０００５】
【発明が解決しようとする課題】
上記した従来の収納型ディスプレイは、軸２ａ回りに回動して起き上がる構造であるため、車載用機器として用いられる場合、収納型ディスプレイの上部に配置されているエアコン等の操作パネルやエアコン吹き出し口がディスプレイユニットの背後に隠れ、操作しにくくなるため不便であった。
【０００６】
この発明は上記した点に鑑みてなされたものであって、その目的とするところは、使用時におけるディスプレイの位置を変えることができる収納型ディスプレイの引出構造を提供することにある。
【０００７】
【課題を解決するための手段】
この発明の収納型ディスプレイの引出構造は、ディスプレイを出入アームにより収納ボックスから出入させる収納型ディスプレイにおいて、前記出入アームに第１の回動軸回りに回動自在に支持されて前記ディスプレイを前記第１の軸と平行の第２の軸回りに回動自在に支持する回動アームを前記ディスプレイと出入アームとの間に介在させ、前記出入アームを前記第１の回動軸回りに回動させ、さらに前記ディスプレイを前記第２の軸回りに回動させることにより前記ディスプレイを前記出入アームと同一方向に延びる位置とし前記収納ボックス内に収納可能としたものである。
【００１０】
【発明の実施の形態】
この発明の実施例である収納型ディスプレイの引出構造を図面に基づいて説明する。図１（ａ）はこの発明の第１の参考例である収納型ディスプレイの要部を示す斜視図、図１（ｂ）は同収納型ディスプレイを示す側面図である。
【００１１】
図に示すスライダ５は液晶ディスプレイ駆動回路ユニット３から延びる出入アーム２に軸２ａを介して回動自在に支持されている。液晶ディスプレイユニット１はスライダ５に摺動自在に支持されている。
【００１２】
液晶ディスプレイユニット１は図１（ａ）に示すように出入アーム２と同一方向に延びる位置とされた状態で液晶ディスプレイ駆動回路ユニット３と共に収納ボックス４内に収納可能であり、このとき液晶ディスプレイ１は図示のＢ方向に移動可能である。そして、収納ボックス４から引き出された状態として、図１（ｂ）に示すように軸２ａ回りに回動させて立てることができる。
【００１３】
この状態で液晶ディスプレイユニット１の画面を見ることができるが、液晶ディスプレイユニット１はスライダ５に摺動自在に支持されているため、上下方向に移動させることができ、エアコン等の操作パネルの邪魔にならない位置とすることができる。
【００１４】
図２（ａ）はこの発明の第２の参考例である収納型ディスプレイの要部を示す斜視図、図２（ｂ）は同収納型ディスプレイを示す側面図である。
【００１５】
図に示す回転部６は液晶ディスプレイ駆動回路ユニット３から延びる出入アーム２に軸２ａを介して回動自在に支持されている。液晶ディスプレイユニット１は回転部６に軸６ａを介して回動自在に支持されている。
【００１６】
液晶ディスプレイユニット１は図２（ａ）に示すように出入アーム２と同一方向に延びる位置とされた状態で液晶ディスプレイ駆動回路ユニット３と共に収納ボックス４内に収納可能であり、このとき液晶ディスプレイ１は図示のＣ方向に移動可能である。そして、収納ボックス４から引き出された状態として、図２（ｂ）に示すように軸２ａ回りに回動させて立てることができる。
【００１７】
この状態で液晶ディスプレイユニット１の画面を見ることができるが、液晶ディスプレイユニット１は回転部６に回動自在に支持されているため、軸６ａ回りに回動させて、エアコン等の操作パネルの邪魔にならない位置とすることができる。
【００１８】
図３（ａ）はこの発明の実施例である収納型ディスプレイの要部を示す斜視図、図３（ｂ）は同収納型ディスプレイを示す側面図である。
【００１９】
図に示す回動アーム７は液晶ディスプレイ駆動回路ユニット３から延びる出入アーム２に軸２ａを介して回動自在に支持されている。液晶ディスプレイユニット１は回動アーム７の先端で軸２ａと平行の軸回りに回動自在に支持されている。
【００２０】
液晶ディスプレイユニット１は図３（ａ）に示す状態から回動アーム７を矢印Ｄ方向に回動させ、さらに、液晶ディスプレイユニット１を回動アーム７の先端の軸回りに回動させることができる。
【００２１】
従って、液晶ディスプレイユニット１を出入アーム２と同一方向に延びる位置とすることができ、その状態で液晶ディスプレイ駆動回路ユニット３と共に収納ボックス４内に収納された状態とすることができる。
【００２２】
このとき液晶ディスプレイ１は収納ボックス４から出入する方向に移動可能である。そして、収納ボックス４から引き出された状態として、図３（ａ）に矢印Ｄで示すように回動アーム７を回動させ、さらに液晶ディスプレイユニット１を回動アーム７の先端の軸回りに回動させて立てることができる。
【００２３】
この状態で液晶ディスプレイユニット１の画面を見ることができるが、液晶ディスプレイユニット１は回動アーム７を回動させることによりエアコン等の操作パネルの邪魔にならない位置とすることができる。
【００２４】
【発明の効果】
この発明の収納型ディスプレイの引出構造によれば、ディスプレイが引き出されて見える状態でその位置を変えることができるので、エアコン等の操作パネルの邪魔とならないようにすることができる。
【図面の簡単な説明】
【図１】  図１（ａ）はこの発明の第１の参考例である収納型ディスプレイの要部を示す斜視図、図１（ｂ）は同収納型ディスプレイを示す側面図である。
【図２】  図２（ａ）はこの発明の第２の参考例である収納型ディスプレイの要部を示す斜視図、図２（ｂ）は同収納型ディスプレイを示す側面図である。
【図３】  図３（ａ）はこの発明の実施例である収納型ディスプレイの要部を示す斜視図、図３（ｂ）は同収納型ディスプレイを示す側面図である。
【図４】従来の収納型ディスプレイの例を一部部材を透視して示す平面図である。
【図５】図４におけるＡ部の詳細を示す斜視図である。
【図６】同収納型ディスプレイの他の状態を示す斜視図である。
【符号の説明】
１  液晶ディスプレイユニット
２  出入アーム、２ａ  軸
３  液晶ディスプレイ駆動回路ユニット
４  収納ボックス
５  スライダ
６  回転部、６ａ  軸
７  回動アーム
【図１】
0003834457.tif 000002
【図２】
0003834457.tif 000003
【図３】
0003834457.tif 000004
【図４】
0003834457.tif 000005
【図５】
0003834457.tif 000006
【図６】
0003834457.tif 000007